(57)【要約】【課題】ケースを破損したり誤飲を誘発させたりする危険がなく、それでいて簡単な構成とすることができる鍵付き箱を提供する。【解決手段】蓋ロック装置は、ロックばね４２によって付勢した位置に設けた可動体１５と、可動体１５の付勢位置で蓋２Ｅを開かないように拘束する可動側拘束部２８を備えて構成し、解錠装置は、カードキー１７と、カードキー１７に形成した複数のマグネット取付部３６と、マグネット取付部３６の少なくとも一つに固定した固定側マグネット３７と、複数のマグネット取付部３６に対応して可動体１５に形成された複数のマグネット取付部２７と、可動体１５のマグネット取付部２７に設けた可動側マグネット４０を備え、固定側マグネット３７と可動側マグネット４０が正しい対応位置関係にあるときの磁気力を用いて可動体１５を移動させて可動側拘束部２８を釈放させるように構成した。【選択図】図７
2018196698.tif 000002
【特許請求の範囲】
【請求項１】
蓋を施錠状態に拘束する蓋ロック装置と、前記蓋ロック装置を釈放して前記蓋の開動作を許す解錠装置を備えた鍵付き箱において、
前記蓋ロック装置は、ロックばねによって付勢した位置に設けた可動体と、前記可動体の付勢位置で前記蓋を開かないように拘束する可動側拘束部を備えて構成し、前記解錠装置は、カードキーと、前記カードキーに形成した複数の固定側マグネット取付部と、前記マグネット取付穴の少なくとも一つに固定した固定側マグネットと、前記複数の固定側マグネット取付穴に対応して前記可動体に形成された複数の可動側マグネット取付部と、前記可動体の前記マグネット取付部に設けた可動側マグネットを備え、前記固定側マグネットと前記可動側マグネットが正しい対応位置関係にあるときの磁気力を用いて前記可動体を移動させて前記可動側拘束部を釈放させるように構成したことを特徴とする鍵付き箱。
【請求項２】
前記鍵付き箱は直方体状の箱型に構成され、前記直方体の蓋に隣接した面に、ベースパネルを固定し、前記ベースパネルの前面側に所定距離を隔ててセット用カバーを取り付け、前記ベースパネルと前記セット用カバー間に位置され、かつ、前記ベースパネルに接離する方向に往復移動可能に前記可動体を配置し、前記ロックばねによって前記可動体を前記ベースパネル側に付勢し、前記可動体の前記セット用カバー側に可動側マグネットを配置したことを特徴とする請求項１に記載の鍵付き箱。
【請求項３】
直方体の展開図から一つの面を除いた五つの面を有し、かつ各面が接する辺部を折り曲げ可能に形成した樹脂成型品を使用し、前記樹脂成型品における前記各面が接する前記辺部を折り曲げて一つの面を開放させた状態のほぼ箱状体とし、前記開放された一つの面に、前記ベースパネルを固定し、前記ベースパネルの前面側に所定距離を隔てて前記セット用カバーを取り付け、前記ベースパネルと前記セット用カバー間に位置され、かつ、前記ベースパネルに接離する方向に往復移動可能に前記可動体を配置し、前記ロックばねによって前記可動体を前記ベースパネル側に付勢し、前記可動体における前記セット用カバー側に前記可動側マグネットを配置したことを特徴とする請求項１に記載の鍵付き箱。
【請求項４】
前記固定側マグネットおよび前記可動側マグネットとしてマグネットホックを使用したことを特徴とする請求項１に記載の鍵付き箱。
【発明の詳細な説明】
【技術分野】
【０００１】
本発明は、鍵の保持者だけが内部収納物を取り出すことができる鍵付き箱に関する。
【背景技術】
【０００２】
本技術分野の背景技術として、実用新案登録第３２０２７００号公報（特許文献１）がある。この公報には、上面に凹部が形成された蓋部と本体部とからなる薬ケースと、前記蓋部の凹部に嵌合可能な外形を有する札状の鍵とから構成される薬の誤飲防止ケースであって、前記薬ケースは蓋部の凹部に穴又は突起を有しており、前記札状の鍵は前記蓋部の凹部に嵌合する面に前記凹部に穴又は突起と係合する突起又は穴を有しており、前記薬ケースは、前記蓋部の凹部の穴又は突起に前記札状の鍵の突起又は穴が係合した状態において開蓋可能となる機構を有することを特徴とする薬の誤飲防止ケースセットが記載されている。
【先行技術文献】
【特許文献】
【０００３】
【特許文献１】実用新案登録第３２０２７００号公報
【発明の概要】
【発明が解決しようとする課題】
【０００４】
しかしながら、特許文献１に記載された鍵付き箱は、ケースと札状鍵に対を成す凹部と突起を形成した余りにも簡単な構成であるため、札状鍵を使用しなくても、その代用品で開けられるとの誤解を生じさせたり、札状鍵の代用品の使用を促したりしてしまい、結果としてケースを破損したり誤飲を誘発させたりする危険がある。
【０００５】
そこで、本発明の目的は、ケースを破損したり誤飲を誘発させたりする危険がなく、それでいて簡単な構成とすることができる鍵付き箱を提供する。
【課題を解決するための手段】
【０００６】
上記課題を解決するために、本発明は、蓋を施錠状態に拘束する蓋ロック装置と、前記蓋ロック装置を釈放して前記蓋の開動作を許す解錠装置を備えた鍵付き箱において、前記蓋ロック装置は、ロックばねによって付勢した位置に設けた可動体と、前記可動体の付勢位置で前記蓋を開かないように拘束する可動側拘束部を備えて構成し、前記解錠装置は、カードキーと、前記カードキーに形成した複数の固定側マグネット取付部と、前記マグネット取付穴の少なくとも一つに固定した固定側マグネットと、前記複数の固定側マグネット取付穴に対応して前記可動体に形成された複数の可動側マグネット取付部と、前記可動体の前記マグネット取付部に設けた可動側マグネットを備え、前記固定側マグネットと前記可動側マグネットが正しい対応位置関係にあるときの磁気力を用いて前記可動体を移動させて前記可動側拘束部を釈放させるように構成したことを特徴とする。
【０００７】
このような鍵付き箱によれば、カードキーに形成した複数のマグネット取付部に対応させて、可動体に形成された複数のマグネット取付部を選択し、前者のマグネット取付部には固定側マグネットを、また後者のマグネット取付部には可動側マグネットを配置することによって、鍵付き箱側とカードキーが一致しなければ蓋を開くことができない複数の組み合わせを有する鍵付き箱を得ることができる。また単なる凹凸の嵌め合いではないのでケースを破損したり誤飲を誘発させたりする危険がなく、それでいて簡単な構成とすることができる。しかも、固定側マグネットおよび可動側マグネットを使用しているため、簡単に固定側マグネットおよび可動側マグネットの位置を変更することができる構成の鍵付き箱を得ることができる。
【０００８】
また本発明は上述の構成に加えて、前記鍵付き箱は直方体状の箱型に構成され、前記直方体の蓋に隣接した面に、ベースパネルを固定し、前記ベースパネルの前面側に所定距離を隔ててセット用カバーを取り付け、前記ベースパネルと前記セット用カバー間に位置され、かつ、前記ベースパネルに接離する方向に往復移動可能に前記可動体を配置し、前記ロックばねによって前記可動体を前記ベースパネル側に付勢し、前記可動体の前記セット用カバー側に可動側マグネットを配置したことを特徴とする。
【０００９】
このような鍵付き箱によれば、立方体形状の鍵付き箱の一つの面、例えば前面側を利用して蓋ロック装置を構成しても、可動体の移動方向と磁気吸着力の作用方向が一致することができ、その厚みを極端に増すことなく、鍵付き箱を比較的に小型で簡略化した構成とすることができる。
【００１０】
また本発明は上述の構成に加えて、直方体の展開図から一つの面を除いた五つの面を有し、かつ各面が接する辺部を折り曲げ可能に形成した樹脂成型品を使用し、前記樹脂成型品における前記各面が接する前記辺部を折り曲げて一つの面を開放させた状態のほぼ箱状体とし、前記開放された一つの面に、前記ベースパネルを固定し、前記ベースパネルの前面側に所定距離を隔てて前記セット用カバーを取り付け、前記ベースパネルと前記セット用カバー間に位置され、かつ、前記ベースパネルに接離する方向に往復移動可能に前記可動体を配置し、前記ロックばねによって前記可動体を前記ベースパネル側に付勢し、前記可動体における前記セット用カバー側に前記可動側マグネットを配置したことを特徴とする。
【００１１】
このような鍵付き箱によれば、樹脂成型品の所定の折り曲げ部を折り曲げると、簡単な構成のほぼ箱状体を得ることができ、かつ、開放された一つの面を利用して、可動体の移動方向と磁気吸着力の作用方向を簡単に一致させることができ、その厚みを極端に増すことなく、鍵付き箱を比較的に小型で簡略化した構成とすることができる。
【００１２】
また本発明は上述の構成に加えて、前記固定側マグネットおよび前記可動側マグネットとしてマグネットホックを使用したことを特徴とする。
【００１３】
このような鍵付き箱によれば、小型のマグネットホックを使用しながら、取り付け位置の変更も容易な釈放装置を備えた鍵付き箱とすることができる。
【発明の効果】
【００１４】
本発明の鍵付き箱によれば、カードキーに形成した複数のマグネット取付部に対応させて、可動体に形成された複数のマグネット取付部を選択し、前者のマグネット取付部には固定側マグネットを、また後者のマグネット取付部には可動側マグネットを配置することによって、鍵付き箱側とカードキーが一致しなければ蓋を開くことができない複数の組み合わせを有する鍵付き箱を得ることができる。また単なる凹凸の嵌め合いではないのでケースを破損したり誤飲を誘発させたりする危険がなく、それでいて簡単な構成とすることができる。しかも、固定側マグネットおよび可動側マグネットを使用しているため、簡単に固定側マグネットおよび可動側マグネットの位置を変更することができる構成の鍵付き箱を得ることができる。
【図面の簡単な説明】
【００１５】
【図１】本発明の一実施例による鍵付き箱を製作する前の樹脂成形時の状態を示す斜視図である。
【図２】鍵付き箱の組立途中状態を示す斜視図である。
【図３】図２に示した鍵付き箱の前面部に構成された蓋ロック装置のベースパネルを示す斜視図である。
【図４】図２に示した鍵付き箱の前面部に構成された蓋ロック装置の可動体を示す斜視図である。
【図５】図２に示した鍵付き箱の前面部に構成された蓋ロック装置のセット用カバーを示す斜視図である。
【図６】解錠装置を構成するカードキーの斜視図である。
【図７】図２に示した鍵付き箱の前面部に構成された蓋ロック装置および解錠装置を示す分解斜視図である。
【図８】図６に示したカードキーの取り付け時を示す斜視図である。
【発明を実施するための形態】
【００１６】
以下、本発明の実施例を図面に基づいて説明する。
【実施例１】
【００１７】
図１は、本発明の一実施例による鍵付き箱を製作する前の樹脂成形時の状態を示す斜視図である。
【００１８】
鍵付き箱を構成するために、直方体の展開図から一つの面を除いたような五つの面を有し、かつ各面が接する辺部を折り曲げ可能に形成した樹脂成型品１が使用される。この樹脂成型品１における各面が接する辺部を折り曲げると、図２に示すように一つの面を開放させた状態のほぼ箱状体となる。
【００１９】
樹脂成型品１は、組立後の鍵付き箱において底部となる第一面１Ａと、一方の側部となる第二面１Ｂと、他方の側部となる第三面１Ｃと、奥の側部となる第四面１Ｄと、蓋となる第五面１Ｅを有している。
【００２０】
下方の第一面１Ａには、第二面１Ｂの固定用爪部６Ａと噛み合って係合状態となる係合部３Ａと、同様に第三面１Ｃの固定用爪部６Ｂと噛み合って係合状態となる係合部３Ｂと、後述するベースパネル１４が嵌め込まれたとき結合状態を保持する爪部４などが一体的に成形されている。両側の第二面１Ｂおよび第三面１Ｃには、その外側における上下方向の端部にそれぞれ嵌め合い構造となるように溝結合部５Ａ〜５Ｄと、その下方側部に成形された固定用爪部６Ａ，６Ｂが一体的に成形されている。さらに右方側の第三面１Ｃには、後述するトーションばねの巻回部を挿入する突起部７Ａと、トーションばねの一方の端部を挿入して保持するための端部挿入受け部７Ｂが一体的に成形されている。
【００２１】
中央の第四面１Ｄは、第三面１Ｃ側の折り曲げ位置を規制する位置決め部８が成形されている。上方の蓋となる第五面１Ｅには、蓋の閉状態を保持するために使用される固定側被拘束部９と、トーションばねの他方の端部を挿入して保持するための端部挿入受け部１０が一体的に成形されている。
【００２２】
図２は、鍵付き箱の組立途中状態を示す斜視図である。
【００２３】
図１に示した樹脂成型品１を、各面１Ａ〜１Ｅが接する各辺に沿って折り曲げると、第一面１Ａは底部２Ａとなり、第二面１Ｂは一方の側部２Ｂとなり、第三面１Ｃは他方の側部２Ｃとなり、第四面１Ｄは奥の側部２Ｄとなり、第五面１Ｅは蓋２Ｅとなる。
【００２４】
このとき、一方の側部２Ｂとなった第二面１Ｂの固定用爪部６Ａが、底部２Ａとなった第一面１Ａの係合部３Ａと噛み合い、同様に他方の側部２Ｃとなった第三面１Ｃの固定用爪部６Ｂが底部２Ａとなった第一面１Ａの係合部３Ｂと噛み合って結合され、図２に示した組立途中状態の鍵付き箱となる。ただし、樹脂成型品１は、直方体の展開図から一つの面を除いた五つの面を有する構成であるため、蓋２Ｅと折り曲げ部による結合関係を持たない前面部は開放状態となっている。
【００２５】
この状態で、跳ね上げ用トーションばね１１における巻回部を図１に示した突起部７Ａに挿入し、跳ね上げ用トーションばね１１の一方側端部を蓋２Ｅに形成されている端部挿入受け部１０に挿入し、跳ね上げ用トーションばね１１における他方端部を側部２Ｃの端部挿入受け部７Ｂに挿入して固定する。すると、奥部２Ｄと接する辺部を中心にして蓋２Ｅは、跳ね上げ用トーションばね１１によって常時開方向に付勢される。やがて、蓋２Ｅにおける外側の上面には、鍵付きケースの用途に応じてネームプレート１２が貼り付けられることになる。
【００２６】
同図の側部２Ｃには、溝結合部５Ｃ，５Ｄの近傍に位置した嵌合穴１３Ｃ，１３Ｄが形成されている。図示されていないが、側部２Ｂの溝結合部５Ａ，５Ｂの近傍にも同様の嵌合穴が形成されている。
【００２７】
図１に示した樹脂成型品１においては前面部となる第六面が形成されていないため、上述したように図２の組立途中状態における鍵付き箱では、前面部が開放されたままとなっている。そこで、この前面部に、蓋２Ｅに形成されている固定側被拘束部９を解錠可能で、かつ、閉状態に施錠保持する蓋ロック装置と、この蓋ロック装置を解錠して蓋２Ｅにおける固定側被拘束部９の拘束を解いて開動作を許す解錠装置の一部が構成されている。解錠装置の他の一部は、詳細を後述するカードキー１７によって構成されている。
【００２８】
蓋ロック装置および解錠装置の一部を前面部に備えた鍵付き箱は、特定の利用者だけに提供する内部収納物を入れる箱体として使用され、詳細を後述する解錠装置としてのカードキー１７を所持した特定の利用者だけが蓋ロック装置を解錠して蓋２を開動作させ、内部収納物を取り出せるように構成される。
【００２９】
図７は、鍵付き箱の前面部に構成された蓋ロック装置および解錠装置を示す分解斜視図である。
【００３０】
開放された前面部には、箱体に固定されるベースパネル１４と、ベースパネル１４に所定の間隔を保持して固定されるセット用カバー１６と、ベースパネル１４とセット用カバー１６間に移動可能に配置される可動プレートなどの可動体１５を有している。詳細は後述するが、可動体１５をベースパネル１４側へ移動する構成によって蓋２Ｅにおける固定側被拘束部９を拘束する蓋ロック装置が構成され、詳細を後述するカードキー１７と、可動体１５をセット用カバー１６へ移動する構成によって蓋２Ｅにおける固定側被拘束部９を釈放する解錠装置が構成されている。
【００３１】
図３は、ベースパネル１４を示す斜視図である。
【００３２】
ベースパネル１４は、その外周部に形成され前面側に立ち上げた縁部１８と、この縁部１８に形成され、かつ、図２に示した側部２Ｂおよび側部２Ｃに形成されている溝結合部５Ａ〜５Ｄにそれぞれ嵌め込まれて固定されることになる嵌め込み部１９Ａ〜１９Ｄと、図２に示した側部２Ｃに形成された嵌合穴１３Ｃ，１３Ｄなどに係合されて抜け止めとなる爪部２０Ｃ，２０Ｄと、中央部に一体的に形成された複数本の可動プレートガイド２１と、縁部１８の一部を切り欠いた切り欠き部２２と、ガイド穴部材２４Ａ〜２４Ｄなどを有している。
【００３３】
上述した複数本の可動プレートガイド２１は、詳細を後述する可動プレートなどの可動体１５をベースパネル１４側へ移動するとき、蓋２Ｅにおける固定側被拘束部９を拘束することになるように案内するものである。
【００３４】
また上述した各ガイド穴部材２４Ａ〜２４Ｄは、図７に示すようにベースパネル１４の裏面側から先端部にねじ部を有した複数本のねじ２３Ａ〜２３Ｄの挿入位置を決定するもので、先端部のねじ部をセット用カバー１６にねじ込んで、ベースパネル１４とセット用カバー１６間に所定の対向距離を保持させるときに使用される。
【００３５】
図４は、可動体１５を示す斜視図である。
【００３６】
可動体１５は、ベースパネル１４における各可動プレートガイド２１に挿入されると共に、可動体１５を挿入方向に往復移動可能に保持することになる複数の挿入穴２５と、後述するロック用ばね４２を収納するために四隅に形成されたばね収納部２６Ａ〜２６Ｄと、複数個のマグネット取付部２７と、図３に示したベースパネル１４における切り欠き部２２によって図２に示した固定側被拘束部９と係合または釈放可能な動きができるようにされた可動側拘束部２８などを有している。
【００３７】
各マグネット取付部２７のうちの少なくとも一つが選ばれ、そのマグネット取付部２７におけるセット用カバー１６側から可動側雌マグネット４０が挿入されて、また、そのマグネット取付部２７におけるベースパネル１４側からかしめ材４１が挿入され、可動側マグネット４０が固定されることになる。この可動側マグネット４０を中心とする構成によって、解錠装置の一部が構成されている。
【００３８】
上述した可動側拘束部２８は、可動体１５がベースパネル１４側へと移動されたとき、蓋２Ｅにおける固定側被拘束部９を拘束して、蓋２Ｅが開放されないようにするものである。しかし、可動体１５がセット用カバー１６側へと移動されると、蓋２Ｅにおける固定側被拘束部９の拘束を解除する。
【００３９】
図５は、セット用カバー１６を示す斜視図である。
【００４０】
セット用カバー１６は、ベースパネル１４との間で可動体１５を移動可能に挟みながらも図３に示したベースパネル１４における縁部１８内に嵌め込まれて固定される嵌め込み部２９と、図４に示した可動体１５における各マグネット取付部２７に対応して形成された複数の合わせ穴３０と、外周部に形成されて前面側に立ち上げた縁部３１と、縁部３１に形成された切り欠き部３２Ａ〜３２Ｃを有している。
【００４１】
各切り欠き部３２Ａ〜３２Ｃは、後述するカードキー１７をセット用カバー１６の前面側に配置したとき、両者の形状が一致するように形成されたものである。
【００４２】
上述したようにベースパネル１４とセット用カバー１６との間に往復移動可能に可動体１５が配置され、さらに可動体１５とセット用カバー１６間には、図７に示すようにロック用ばね４２が配置されると、ロック用ばね４２によって可動体１５がベースパネル１４側へと移動するように弾性的に付勢され、図４に示した可動側拘束部２８が図２に示した蓋２Ｅにおける固定側被拘束部９を拘束することになる。
【００４３】
図６は、蓋ロック装置を解錠する解錠装置の他の一部を構成するカードキー１７を示す斜視図である。
【００４４】
カードキー１７は、図５に示したセット用カバー１６における縁部３１内に嵌め込まれる大きさと形状であり、セット用カバー１６における切り欠き部３２Ａに対応して紐状体によって吊り下げられるようにした吊り部３４と、セット用カバー１６における切り欠き部３２Ｂ，３２Ｃにそれぞれ対応して形成された耳部３５Ａ，３５Ｂと、セット用カバー１６における各合わせ穴３０に対応した位置に形成された複数のマグネット取付部３６と、各マグネット取付部３６の裏面側であるセット用カバー１６側に配置される雄マグネットホックなどの固定側マグネット３７と、各マグネット取付部３６の前面側に配置されて固定側マグネット３７を固定するかしめ材３８と、固定側マグネット３７を設置した後に全面部を覆うネームプレート３３などを有している。
【００４５】
このカードキー１７は、各マグネット取付部３６のうち、図４に示した可動側マグネット４０を配置したマグネット取付部２７に対応した位置に形成されているものが選ばれ、このマグネット取付部３６に固定側マグネット３７が取り付けられている。従って、可動側マグネット４０と固定側マグネット３７は、ほぼ同一直線状に対向して配置されている。
【００４６】
このため、可動側マグネット４０と固定側マグネット３７が磁気吸着されたとき、可動体１５はセット用カバー１６側に移動される。このため、図４に示した可動側拘束部２８が図２に示した蓋２Ｅにおける固定側被拘束部９の拘束を解除することになる。一方、カードキー１７が取り除かれると、可動側マグネット４０に対する磁気吸着力はなくなり、可動体１５はロックばね４２によってベースパネル１４側に移動する。このため、図４に示した可動側拘束部２８が図２に示した蓋２Ｅにおける固定側被拘束部９を拘束することになる。
【００４７】
このような構成のカードキー１７と、前述の可動側マグネット４０を中心とする構成によって解錠装置が構成されている。
【００４８】
次に、図７の分解斜視図を用いながら蓋ロック装置の組み立てについて説明する。
【００４９】
先ず、鍵付き箱の前面側にベースパネル１４を取り付ける。ベースパネル１４の各嵌め込み部１９Ａ〜１９Ｄが、両側板２Ｂ，２Ｃの各溝結合部５Ａ〜５Ｄにそれぞれ嵌め込まれると、ベースパネル１４に形成されている爪部２０Ｃ，２０Ｄが側部２Ｃに形成されている嵌合穴１３Ｃ，１３Ｄ内に係合される。詳細を図示していない側部２Ｂの側でも同様である。さらに、ベースパネル１４における下方側に位置した縁部１８が底部２Ａの爪部４に係止される。このため、ベースパネル１４が鍵付き箱の底部２Ａおよび側部２Ｂ，２Ｃに固定される。
【００５０】
次いで、ベースパネル１４へ可動体１５およびセット用カバー１６を取り付ける。ベースパネル１４に形成された各可動プレートガイド２１を可動体１５における各挿入穴２５内に挿入しながら、ベースパネル１４における縁部１８内に可動体１５を収納する。このとき可動体１５の可動側拘束部２８がベースパネル１４における切り欠き部２２に対応しており、各可動プレートガイド２１に沿った可動体１５の動きがベースパネル１４によって不適切に制限されない。
【００５１】
次いで、ベースパネル１４との間に可動体１５を挟む関係でセット用カバー１６を取り付ける。可動体１５には、対応するカードキー１７の固定側マグネット３７に合わせた位置で可動側マグネット４０が固定されている。
【００５２】
その後、可動体１５における四隅のばね収納部２６Ａ〜２６Ｄにそれぞれロック用ばね４２を配置した状態とする。次いで、ベースパネル１４の裏面側から複数本のねじ２３Ａ〜２３Ｄを各ガイド穴２４Ａ〜２４Ｄに挿入し、各ねじ２３Ａ〜２３Ｄの先端ねじ部をセット用カバー１６の裏面側へねじ込む。このとき、各ねじ２３Ａ〜２３Ｄによって可動体１５の動きが制限されないように、可動体１５における各ねじ２３Ａ〜２３Ｄの近傍には切り欠きが形成されている。
【００５３】
これによって、ベースパネル１４とセット用カバー１６間は固定することができるが、ベースパネル１４とセット用カバー１６間に配置された可動体１５は、各可動プレートガイド２１の軸方向に往復移動可能に保持される。しかし、可動体１５のばね収納部２６に配置されたロック用ばね４２が、可動体１５とセット用カバー１６間に挟み込まれているため、可動体１５はロック用ばね４２によってベースパネル１４側に弾性的に付勢されている。
【００５４】
この付勢状態で、可動体１５はロック用ばね４２によってベースパネル１４側に移動させ、可動体１５の可動側拘束部２８は固定側被拘束部９を拘束した状態を保持され、蓋ロック装置によって蓋２Ｅは閉状態に保持される。
【００５５】
これに対して、可動体１５をセット用カバー１６側に移動させて、可動側拘束部２８による固定側被拘束部９の拘束を解除させるために解錠装置が使用される。
【００５６】
図８は、解錠装置であるカードキー１７をセット用カバー１６に取り付けるときの斜視図である。
【００５７】
上述した蓋ロック装置によるロック状態を解錠装置によって解除する場合、鍵付き箱におけるセット用カバー１６にカードキー１７をセットする。
【００５８】
図２に示したように蓋２Ｅの上面に貼り付けられたネームプレート１２の記載と、図４に示したネームプレート３３の記載が一致すれば、鍵付き箱とカードキー１７が正しく対を成すものであることが容易に識別できる。正しく対を成す場合、可動体１５の可動側マグネット４０の位置と、図６に示したカードキー１７の固定側マグネット３７の位置が一致する。
【００５９】
このため、カードキー１７をセット用カバー１６の縁部３１内に嵌め込むと、可動体１５の可動側マグネット４０と、カードキー１７の固定側マグネット３７が対応し、互いに磁気吸着する。この磁気吸着力によって、図７に示した可動体１５はロック用ばね４２に抗してカードキー１７側に移動される。この移動によって、蓋２Ｅの裏側に設けられている固定側被拘束部９は、可動体１５の可動側拘束部２８による拘束を解かれて、蓋２Ｅはトーションばね１０のばね力により開方向に跳ね上げられ開状態となる。
【００６０】
使用するマグネットの種類によっては、可動側マグネット４０と固定側マグネット３７間の磁気吸着力が小さく、可動体１５をカードキー１７側に移動させることができないことも考えられる。このような場合、二カ所のマグネット取付部２７にそれぞれ可動側マグネット４０を取り付け、これに対応する二カ所のマグネット取付部３０にそれぞれ固定側マグネット３７を取り付けると良い。
【００６１】
一方、可動側マグネット４０および固定側マグネット３７をそれぞれ複数個設けると、鍵付き箱とカードキー１７の対を成す組合せ数が制限されることから、他の構成を追加することも考えられる。
【００６２】
例えば、可動側マグネット４０と固定側マグネット３７を磁気吸着させた状態で、操作者が図８に示したカードキー１７の耳部３５Ａ，３５Ｂを掴みながらカードキー１７全体を手前側に引く。すると、磁気吸着されている可動体１５をセット用カバー１６側に移動させることができる。これによって、可動体１５側の可動側拘束部２８が蓋２Ｅの裏側に設けられている固定側被拘束部９を拘束している状態を解除し、蓋２Ｅをトーションばね１０のばね力により開方向に跳ね上げて開状態とすることもできる。
【００６３】
また別の構成として、セット用カバー１６の縁部３１の形状と、縁部３１に嵌め込まれるカードキー１７の形状が異なる対を追加し、その他の部分は同一構成とする。この場合、基本的には同一構成ではあるが、対を成す鍵付き箱とカードキーの数を簡単に増やすことができる。
【００６４】
このように解錠装置は、可動体１５に取り付けられた可動側マグネット４０と、対応する位置関係でカードキー１７に取り付けられた固定側マグネット３７と、カードキー１７などによって構成されている。従って、可動側マグネット４０と固定側マグネット３７の対応関係が異なる場合、すなわち鍵付き箱とカードキー１７が対を成すものではないとき、解錠力となる磁気吸引力を得ることができない。
【００６５】
また、セット用カバー１６の縁部３１の形状と、縁部３１に嵌め込まれるカードキー１７の形状が異なる場合は、可動側マグネット４０と固定側マグネット３７をふさわしい対応関係にすることができず、やはり、解錠力となる磁気吸引力を得ることができない。
【００６６】
これにより、カードキー１７を所持した真の使用者だけが、鍵付き箱内から自分用の収納物品を取り出すことができる。
【００６７】
その後、カードキー１７をセット用カバー１６から引き外すと、可動体１５はロック用ばね４２によりベースパネル１４側に移動され、元の状態に復帰する。この状態で今度は、使用者が蓋２Ｅを閉めると、蓋２Ｅの裏側に設けられている固定側被拘束部９と、可動体１５の可動側拘束部２８が噛み合って係合され、カードキー１７を使用しないと開かない状態となる。
【００６８】
上述した実施例では、蓋２Ｅの上面に貼り付けられたネームプレート１２と、図４に示したカードキー１７の前面側に貼り付けられたネームプレート３３は、使用者の名前が記載されたものとして説明したが、ネームプレート１２，３３には、写真や文章やＱＲコード（登録商標）などを貼り付け、操作の度にこれらの使用者情報をスマートホーンなどで収集するようにしても良い。
【００６９】
上述した実施例では、固定側被拘束部９と可動側拘束部２８を爪状部材として図示したが、本発明はこれに限定しない。
【００７０】
また上述した実施例では、一つのマグネット取付部２７に可動側マグネット４０を設け、これに対応した位置の一つのマグネット取付部３６に固定側マグネット３７を設けたが、複数のマグネット取付部２７および合わせ穴３０にそれぞれ可動側マグネット４０を設け、これに対応した各位置のマグネット取付部３６にそれぞれ固定側マグネット３７を設けても良い。
【００７１】
さらに上述した実施例では、ベースパネル１４に形成した可動プレートガイド２１の軸方向に可動体１５を往復移動可能に保持させ、可動体１５におけるベースパネル１４側への移動を蓋ロック装置におけるロック方向としている。このため、立方体形状の鍵付き箱の一つの面、例えば前面側を利用して蓋ロック装置を構成しても、可動体１５の移動方向と磁気吸着力の作用方向が一致するため、その厚みを極端に増すことなく、鍵付き箱を比較的に小型で簡略化した構成とすることができる。しかし、本発明は、この構造に限定しない。固定側マグネット３７および可動側マグネット４０などの磁気吸着装置が作用していない状態で蓋２Ｅを施錠している蓋ロック装置を設け、カードキー１７を取り付けたときの磁石吸着装置による磁気吸着力で蓋ロック装置を解錠する構成を採用することができる。このときの解錠は、可動プレートガイド２１の軸方向の移動に限らず、可動体１５に対応する可動部材の回転やその他の動きを利用することができる。
【００７２】
以上説明したように本発明は、蓋２Ｅを施錠状態に拘束する蓋ロック装置と、蓋ロック装置を釈放して蓋２Ｅの開動作を許す解錠装置を備えた鍵付き箱において、蓋ロック装置は、ロックばね４２によって付勢した位置に設けた可動体１５と、可動体１５の付勢位置で蓋２Ｅを開かないように拘束する可動側拘束部２８を備えて構成し、解錠装置は、カードキー１７と、カードキー１７に形成した複数のマグネット取付部３６と、マグネット取付部３６の少なくとも一つに固定した固定側マグネット３７と、複数のマグネット取付部３６に対応して可動体１５に形成された複数のマグネット取付部２７と、可動体１５のマグネット取付部２７に設けた可動側マグネット４０を備え、固定側マグネット３７と可動側マグネット４０が正しい対応位置関係にあるときの磁気力を用いて可動体１５を移動させて可動側拘束部２８を釈放させるように構成したことを特徴とする。
【００７３】
このような鍵付き箱によれば、カードキー１７に形成した複数のマグネット取付部３６に対応させて、可動体１５に形成された複数のマグネット取付部２７を選択し、マグネット取付部３６には固定側マグネット３７を、またマグネット取付部２７には可動側マグネット４０を配置することによって、鍵付き箱側とカードキー１７が一致しなければ蓋２Ｅを開くことができない複数の組み合わせを有する鍵付き箱を得ることができる。また単なる凹凸の嵌め合いではないのでケースを破損したり誤飲を誘発させたりする危険がなく、それでいて簡単な構成とすることができる。しかも、固定側マグネット３７および可動側マグネット４０を使用しているため、簡単に固定側マグネット３７および可動側マグネット４０の位置を変更することができる構成の鍵付き箱を得ることができる。
【００７４】
また本発明は上述の構成に加えて、鍵付き箱は立方体状の箱型に構成され、立方体の蓋２Ｅに隣接した面に、ベースパネル１４を固定し、ベースパネル１４の前面側に所定距離を隔ててセット用カバー１６を取り付け、ベースパネル１４とセット用カバー１６間に位置され、かつ、ベースパネル１４に接離する方向に往復移動可能に可動体１５を配置し、ロックばね４２によって可動体１５をベースパネル１４側に付勢し、可動体１５におけるセット用カバー１６側に可動側マグネット４０を配置したことを特徴とする。
【００７５】
このような鍵付き箱によれば、立方体形状の鍵付き箱の一つの面、例えば前面側を利用して蓋ロック装置を構成しても、可動体１５の移動方向と磁気吸着力の作用方向が一致することができ、その厚みを極端に増すことなく、鍵付き箱を比較的に小型で簡略化した構成とすることができる。
【００７６】
また本発明は上述の構成に加えて、直方体の展開図から一つの面を除いた五つの面を有し、かつ各面が接する辺部を折り曲げ可能に形成した樹脂成型品１を使用し、この樹脂成型品１における各面が接する辺部を折り曲げて一つの面を開放させた状態のほぼ箱状体とし、開放された一つの面に、ベースパネル１４を固定し、ベースパネル１４の前面側に所定距離を隔ててセット用カバー１６を取り付け、ベースパネル１４とセット用カバー１６間に位置され、かつ、ベースパネル１４に接離する方向に往復移動可能に可動体１５を配置し、ロックばね４２によって可動体１５をベースパネル１４側に付勢し、可動体１５におけるセット用カバー１６側に可動側マグネット４０を配置したことを特徴とする。
【００７７】
このような鍵付き箱によれば、樹脂成型品１の所定の折り曲げ部を折り曲げると、簡単な構成のほぼ箱状体を得ることができ、かつ、開放された一つの面を利用して、可動体１５の移動方向と磁気吸着力の作用方向を簡単に一致させることができ、その厚みを極端に増すことなく、鍵付き箱を比較的に小型で簡略化した構成とすることができる。
【００７８】
また本発明は上述の構成に加えて、固定側マグネット３７および可動側マグネット４０としてマグネットホックを使用したことを特徴とする。
【００７９】
このような鍵付き箱によれば、小型のマグネットホックを使用しながら、取り付け位置の変更も容易な釈放装置を備えた鍵付き箱とすることができる。
【００８０】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。
【符号の説明】
【００８１】
２Ｅ  蓋
１４  ベースパネル
１５  可動体
１６  セット用カバー
１７  カードキー
２７  マグネット取付部
２８  可動側拘束部
３６  マグネット取付部
３７  固定側マグネット
４０  可動側マグネット
４２  ロックばね
【図１】
2018196698.tif 000003
【図２】
2018196698.tif 000004
【図３】
2018196698.tif 000005
【図４】
2018196698.tif 000006
【図５】
2018196698.tif 000007
【図６】
2018196698.tif 000008
【図７】
2018196698.tif 000009
【図８】
2018196698.tif 000010